(57)【要約】【課題】部品点数の増加やコスト上昇、更には、装置寿命の短縮を招くことなく、静電オフセットや用紙後端剥離放電ノイズを防止する定着装置並びに画像形成装置を提供する。【解決手段】弾性層を備える定着ローラと、芯金の外周面上に弾性層と離型層とが順次積層されてなり、熱源を内蔵する加熱ローラと、耐熱樹脂からなる無端ベルト状の基材層上に弾性層と離型層とが順次積層されてなり、定着ローラと加熱ローラとに巻架された定着ベルトと、定着ベルトを介して前記定着ローラに押圧された加圧ローラと、を備えた定着装置において、定着ベルトの基材層の体積抵抗率を１０１０Ωｃｍ以上とし、定着ベルトの弾性層の体積抵抗率を１０１２Ωｃｍ以上とし、定着ローラの弾性層の体積抵抗率を１０１２Ωｃｍ以上とし、加圧ローラの弾性層の体積抵率を１０８Ωｃｍ以下とする。【選択図】図４
2010217833.tif 000002
【特許請求の範囲】
【請求項１】
トナー像を記録シートに融着する定着装置であって、
弾性層を備える定着ローラと、
芯金の外周面上に弾性層と離型層とが順次積層されてなり、熱源を内蔵する加熱ローラと、
耐熱樹脂からなる無端ベルト状の基材層上に弾性層と離型層とが順次積層されてなり、定着ローラと加熱ローラとに巻架された定着ベルトと、
定着ベルトを介して前記定着ローラに押圧された加圧ローラと、を備え、
定着ベルトの基材層の体積抵抗率が１０１０Ωｃｍ以上、１０１７Ωｃｍ以下の範囲内であり、
定着ベルトの弾性層の体積抵抗率が１０１２Ωｃｍ以上、１０１６Ωｃｍ以下の範囲内であり、
定着ローラの弾性層の体積抵抗率が１０１２Ωｃｍ以上、１０１６Ωｃｍ以下の範囲内であり、
加圧ローラの弾性層の体積抵抗率が１０３Ωｃｍ以上、１０８Ωｃｍ以下の範囲内である
ことを特徴とする定着装置。
【請求項２】
定着ベルトの厚さと定着ローラの弾性層の厚さの合計は４ｍｍ以上、８ｍｍ以下の範囲内である
ことを特徴とする請求項１の定着装置。
【請求項３】
定着ベルトの基材層はポリイミドからなる
ことを特徴とする請求項１の定着装置。
【請求項４】
請求項１から３の何れかに記載の定着装置を備える
ことを特徴とする画像形成装置。
【発明の詳細な説明】
【技術分野】
【０００１】
本発明は、定着装置および画像形成装置に関し、特に、定着装置における画質劣化を防止する技術に関する。
【背景技術】
【０００２】
電子写真方式の画像形成装置は、帯電した記録シート上にトナーを静電吸着させた後、定着器によって当該トナーを記録シートに融着させる。トナーを定着する際には、加熱ローラと加圧ローラとの間に記録シートを通紙させるため、帯電した記録シートによって加熱ローラが帯電する。
その結果、記録シート上のトナーが加熱ローラに静電吸着される静電オフセットや、記録シートが定着器から排出される際の放電に起因する画質の劣化（以下、「用紙後端剥離放電ノイズ」という。）が生じることがある。
【０００３】
このような問題に対して、例えば、加熱ローラにバイアス電圧を印加したり、加熱ローラに導電部材を当てて除電したり、或いは、トナーを転写した記録シートに導電部材を当てて除電したりする対策が考えられている（例えば、特許文献１を参照）。このようにすれば、加熱ローラの帯電を軽減して、静電オフセットの発生を抑えることができる。
【先行技術文献】
【特許文献】
【０００４】
【特許文献１】特開２００５−５５７８６号公報
【発明の概要】
【発明が解決しようとする課題】
【０００５】
しかしながら、画像形成装置に対する小型化、低価格化の要請が高まり続けており、上記従来技術のように、加熱ローラや記録シートを除電する部材や、加熱ローラにバイアス電圧を印加する部材を設けることは、かかる要請に反するものと言わざるを得ない。
また、加熱ローラは画像形成時には回転するし、記録シートは言うまでもなく搬送系路上を移動するものであるから、加熱ローラや記録シートに当接する除電部材には強い摩擦力が作用する。また、加熱ローラに電圧を印加する部材も同様である。このため、これらの部材は何れも経年劣化を免れず、画質の経年劣化を招く。
【０００６】
更に、加熱ローラに電圧を印加するには高温ゆえの技術的困難が伴う。
本発明は、上述のような問題に鑑みて為されたものであって、部品点数の増加やコスト上昇、更には、装置寿命の短縮を招くことなく、静電オフセットや用紙後端剥離放電ノイズを防止する定着装置並びに画像形成装置を提供することを目的とする。
【課題を解決するための手段】
【０００７】
上記目的を達成するため、本発明に係る定着装置は、トナー像を記録シートに融着する定着装置であって、弾性層を備える定着ローラと、芯金の外周面上に弾性層と離型層とが順次積層されてなり、熱源を内蔵する加熱ローラと、耐熱樹脂からなる無端ベルト状の基材層上に弾性層と離型層とが順次積層されてなり、定着ローラと加熱ローラとに巻架された定着ベルトと、定着ベルトを介して前記定着ローラに押圧された加圧ローラと、を備え、定着ベルトの基材層の体積抵抗率が１０１０Ωｃｍ以上、１０１７Ωｃｍ以下の範囲内であり、定着ベルトの弾性層の体積抵抗率が１０１２Ωｃｍ以上、１０１６Ωｃｍ以下の範囲内であり、定着ローラの弾性層の体積抵抗率が１０１２Ωｃｍ以上、１０１６Ωｃｍ以下の範囲内であり、加圧ローラの弾性層の体積抵抗率が１０３Ωｃｍ以上、１０８Ωｃｍ以下の範囲内であることを特徴とする。
【発明の効果】
【０００８】
このようにすれば、定着ベルトと加圧ローラとの間の電位差を１５００Ｖ以上にすることができるので、静電オフセットや用紙後端剥離放電ノイズを解消することができる。
この場合において、定着ベルトの厚さと定着ローラの弾性層の厚さの合計は４ｍｍ以上、８ｍｍ以下の範囲内とするのが望ましく、また、定着ベルトの基材層はポリイミドからなるとすれば、定着ベルトの耐久性の向上を図ることができるのみならず、当該基材層の体積抵抗率を容易に調製することができる。
【０００９】
本発明に係る画像形成装置は、本発明に係る定着装置を備えることを特徴とする。このようにすれば、静電オフセットや用紙後端剥離放電ノイズを解消することができる。
【図面の簡単な説明】
【００１０】
【図１】本発明の実施の形態に係る画像形成装置の主要な構成を表わす図である。
【図２】定着装置１００の主要な構成を示す図である。
【図３】定着ベルト２０２、定着ローラ２０１及び加圧ローラ２０９の電気的特性（体積抵抗率）を示す表である。
【図４】定着装置１００の各部品の体積抵抗率の望ましい範囲を特定するための実験条件と結果を示す表である。
【図５】静電オフセットが発生するメカニズムを説明する図である。
【図６】画像形成時における定着ベルトと加圧ローラ２０９との各表面電位の推移を示すグラフであって、（ａ）は本実施の形態に係る画像形成装置のものであり、（ｂ）は従来技術に係る画像形成装置のものである。
【図７】用紙後端剥離放電ノイズが発生するメカニズムを説明する図であって、（ａ）は記録シートの後端が定着ベルト２０２や加圧ローラ２０９から剥離する様子を示し、（ｂ）は次の記録シートが通紙される様子を示す。
【発明を実施するための形態】
【００１１】
以下、本発明に係る定着装置及び画像形成装置の実施の形態について、図面を参照しながら説明する。
［１］  画像形成装置の構成
先ず、本実施の形態に係る画像形成装置の構成について説明する。
図１は、本実施の形態に係る画像形成装置の主要な構成を表わす図である。図１に示されるように、画像形成装置１は、タンデム方式のカラー画像形成装置であって、定着装置１００、画像読取部１１０、画像形成部１２０、用紙格納部１３０及び用紙搬送部１４０を備えている。
【００１２】
画像読取部１１０は載荷台１１１や搬送部１１２、原稿台ガラス１１３、スキャナ１１４、排出台１１５を備えており、ユーザの指示に従って、載荷台１１１に載置された原稿を搬送部１１２にて１枚ずつ取り出して、原稿台ガラス１１３上へ搬送する。
原稿台ガラス１１３上の原稿はスキャナ１１４にて読み取られ、排出台１１５上へ排出される。スキャナ１１４は３原色に対応する３列のＣＣＤ（Charge Coupled Device）ラインセンサを備えており、原稿を読み取って各色の画像データを生成する。
【００１３】
なお、スキャナ１１４は、ＣＣＤラインセンサを静止させたまま通紙して原稿を読み取るシートスルー方式であっても良い。また、原稿台ガラス１１３に平行に移動する露光ランプと反射ミラーとを用いて、原稿台ガラス１１３上に載置された原稿を露光し、その反射光を複数の反射ミラーにてＣＣＤラインセンサへ導くことによって画像データを生成しても良い。
【００１４】
画像形成部１２０は、中間転写ベルト１２１、従動ローラ１２２、テンションローラ１２３、駆動ローラ１２４、作像部１２５Ｙ〜１２５Ｋ、１次転写ローラ１２６Ｙ〜１２６Ｋ、クリーニング装置１２７、定着器１２８及び排紙トレイ１２９を備えている。
中間転写ベルト１２１は従動ローラ１２２、テンションローラ１２３及び駆動ローラ１２４に張架されている。作像部１２５Ｙ〜１２５Ｋは中間転写ベルト１２１に沿ってイエロー（Ｙ）、マゼンタ（Ｍ）、シアン（Ｃ）及びブラック（Ｋ）の順に列設されており、スキャナ１１４が生成した画像データに基づいてＹＭＣＫ各色のトナー像を形成する。
【００１５】
作像部１２５Ｙ〜１２５Ｋが形成したトナー像はそれぞれ１次転写ローラ１２６Ｙ〜１２６Ｋにてタイミングを合わせて、中間転写ベルト１２１上に重なり合うように静電転写される。これによって、カラー画像が形成される。
用紙格納部１３０は給紙カセット１３１を備えている。給紙カセット１３１内に記録シートが格納されている。なお、用紙格納部１３０は、格納する記録シートのサイズが相異なる複数の給紙カセットを備え、ユーザが指定したサイズの記録シートを給紙しても良い。
【００１６】
用紙搬送部１４０はピックアップローラ１４１、タイミングローラ１４２、２次転写ローラ１４３及び排出ローラ１４４を備えている。ピックアップローラ１４１は、給紙カセット１３１内に格納されている記録シートを１枚ずつ取り出す。取り出された記録シートはタイミングローラ１４２にて更に搬送される。
２次転写ローラ１４３は、中間転写ベルト１２１上のトナー像を記録シート上に静電転写する。その後、中間転写ベルト１２１上に残留するトナーはクリーニング装置１２７にて掻き取られて、廃棄される。
【００１７】
定着装置１００は記録シート上のトナー像を加熱、溶融して、記録シートに融着させる。排出ローラ１４４は、トナー像を定着された記録シートを排紙トレイ１２９上に排出する。
［２］  定着装置１００の構成
次に、定着装置１００の構成について説明する。
【００１８】
図２は、定着装置１００の主要な構成を示す図である。図２に示されるように、定着装置１００は定着ローラ２０１、定着ベルト２０２、ヒータ２０３、２１０、加熱ローラ２０４、サーモスタット２０５、２１１、サーミスタ２０６、２０８、分離爪２０７、加圧ローラ２０９及び突入ガイド２１２を備えている。
定着ローラ２０１は、鉄芯金の外周面上に弾性層が形成されてなる。鉄芯金は外径が１８ｍｍである。また、弾性層は厚さ４ｍｍのシリコーンゴム層上に厚さ２ｍｍのシリコーンスポンジ層が形成されてなる。定着ローラ２０１全体の外径は３０ｍｍである。なお、シリコーンゴム層の厚みを４ｍｍとしたのは、必要な定着ニップ幅を確保すると同時に静電容量を下げて帯電電圧を上げるためである。
【００１９】
加熱ローラ２０４は、アルミ芯金の外周面上がポリテトラフルオロエチレン（PTFE: polytetrafluoroethylene）にて被覆されてなる。アルミ芯金は厚みが０．５ｍｍの円筒形状となっており、加熱ローラ２０４は外径３０ｍｍである。
ヒータ２０３は、ハロゲンランプであって、加熱ローラ２０４の内部に配設されており、出力は１０００ワットである。ヒータ２０３への通電状態はサーモスタット２０５によって制御される。また、サーミスタ２０６は加熱ローラ２０４の外周面における温度を測定する。
【００２０】
定着ベルト２０２は、無端状のベルトであって、定着ローラ２０１と加熱ローラ２０４とに掛け渡されており、定着ローラ２０１の回転に従って回転駆動される。定着ベルト２０２は、ポリイミドからなる基材層上に弾性層と離型層とが順次形成されてなり、定着ローラ２０１や加熱ローラ２０４から取り外して円筒状にした状態での外径が６５ｍｍである。
【００２１】
基材層は厚さ７０μｍである。弾性層はシリコーンゴムからなり、厚さ１５０μｍである。また、離型層はフッ素樹脂による被覆であって、厚さ２０μｍである。なお、基材層の材料としてポリイミドを採用すれば、優れた耐熱性、耐屈曲疲労性を得ることができるのみならず、体積抵抗率を容易に調整することができる。後述のように、本発明においては、体積抵抗率を調整することによって技術課題を解決する。
【００２２】
加圧ローラ２０９は、アルミ芯金の外周面上に弾性層と離型層とが順次形成されてなり、アルミ芯金は厚みが２ｍｍの円筒形状となっている。弾性層はシリコーンゴムからなっており、厚み１．５ｍｍである。また、離型層はＰＦＡチューブ（perfluoroalkoxy）からなり、厚み３０μｍである。加圧ローラ２０９の外径は３０ｍｍである。
加圧ローラ２０９は、定着ベルト２０２を介して定着ローラ２０１に圧接することにより定着ニップ部を形成する。この定着ニップ部は、ニップ荷重が５０Ｎから４５０Ｎであり、ニップ幅が略８ｍｍ、長手方向幅が略３２０ｍｍである。
【００２３】
ヒータ２１０もまたハロゲンランプであって、加圧ローラ２０９の内部に配設されており、出力は２３０ワットである。ヒータ２１０への通電状態はサーモスタット２１１によって制御される。
以上のような構成の下、未定着トナー２１３を担持する記録シート２１４は、定着ローラ２０１と加圧ローラ２０９とが形成する定着ニップへと、突入ガイド２１２によって導かれ、定着ニップ部にて未定着トナー２１３を融着された後、分離爪２０７にて定着ローラ２０１から分離され、定着装置１００外へ排出される。
【００２４】
［３］  定着装置各部品の電気的特性
本発明に係る定着装置は、幾つかの部品の電気的特性に特徴を有している。
図３は、定着ベルト２０２、定着ローラ２０１及び加圧ローラ２０９の電気的特性（体積抵抗率）を示す表である。
記録シートは、負に帯電するトナーを担持するために、２次転写ローラを通過する際に正に帯電される。記録シートは２次転写後に除電されるが、この除電の効率は温度や湿度など環境条件によって変動するため、定着装置に通紙される際に記録シートがある程度帯電していることがある。
【００２５】
正に帯電した記録シートは定着装置を通過する際に、定着ベルト２０２や加圧ローラ２０９を分極させて、これらの表面を負に帯電させる。これが静電オフセットや剥離放電を引き起こす。
これに対して、上述のような体積抵抗率を採用すれば、加圧ローラ２０９よりも定着ベルト２０２の方が、正に帯電した記録シートを通紙した際に分極し易くなる。このため、分極状態における定着ベルト２０２の電位Ｖhと加圧ローラ２０９の電位Ｖpとの関係が
Ｖh  ＜  Ｖp
となる。すると、記録シートが担持する未定着トナーが、加圧ローラ２０９側へは静電吸着される一方、定着ベルト２０２側からは静電反発力を受けるので、静電オフセットが防止される。
【００２６】
また、本実施の形態によれば、加圧ローラ２０９と定着ベルト２０２との電位差をほぼ１９００Ｖにすることができるところ、この電位差が１５００Ｖ以上ならば剥離放電を防止することができるので、本実施の形態によれば、確実に剥離放電を防止して、高い画質を実現することができる。
［４］  体積抵抗率の範囲
次に、体積抵抗率の望ましい範囲を特定するために実験を行ったので、その結果について説明する。
【００２７】
図４は、実験条件と対応する結果を示す表である。図４に示されるように、定着ベルト２０２の基材層の体積抵抗率を１０８Ωｍと１０１０Ωｍとの何れかとし、弾性層の体積抵抗率を１０１０Ωｍと１０１３Ωｍとの何れかとした。また、定着ローラ２０１の弾性層は１０１０Ωｍと１０１３Ωｍとの何れかとし、加圧ローラ２０９の弾性層は１０７Ωｍと１０１０Ωｍとの何れかとした。なお、体積抵抗率には±１桁程度の測定誤差がある。
【００２８】
このような条件の下、静電オフセットと用紙後端剥離放電ノイズとの発生状況を確認した。
図５は、静電オフセットが発生するメカニズムを説明する図である。図５に示されるように、負に帯電したトナー２１３を担持するために記録シート２１４は正に帯電している。この正に帯電した記録シート２１４が定着ベルト２０２と加圧ローラ２０９との間に通紙されると、記録シート２１４の帯電電圧によって定着ベルト２０２と加圧ローラ２０９とがそれぞれ分極して、その表面が負に帯電する（図５においては文字「−」にて表示されている）。
【００２９】
この場合において、加圧ローラ２０９の方が定着ベルト２０２よりも表面電位が低い場合には（図５においては文字「−」の数にて表示されている）、記録シート２１４上のトナー２１３が定着ベルト２０２の表面電位によって静電吸着されたり、或いは、加圧ローラ２０９の表面電位と静電反発したりすることによって、定着ベルト２０２に吸着される。
【００３０】
これによって、静電オフセット（白抜け）が発生する。逆に、定着ベルト２０２の方が加圧ローラ２０９よりも表面電位が低くなるようにすれば、トナー２１３は加圧ローラ側へ向かう静電気力を受けるが、記録シート２１４に遮られるので静電オフセットは発生しない。
このことから、体積抵抗率を調整することによって、定着ベルト２０２と加圧ローラ２０９との分極の能率を調整すれば、定着ベルト２０２の表面電位を下げたり、加圧ローラ２０９の表面電位を上げたりして、静電オフセットの発生を防止することができると考えられる。
【００３１】
図６は、画像形成時における定着ベルトと加圧ローラ２０９との各表面電位の推移を示すグラフであって、（ａ）は本実施の形態に係る画像形成装置のものであり、（ｂ）は従来技術に係る画像形成装置のものである。
従来技術に係る画像形成装置もまた、定着ベルトと加圧ローラとを備えており、当該定着ベルトは、厚さ３５μｍでニッケル製の基材層上に、厚さ２００μｍでシリコーンゴム製の弾性層と、厚さ３０μｍでＰＦＡチューブ製の離型層とが順次積層されてなる。
【００３２】
また、従来技術に係る加圧ローラは、厚さ２．５ｍｍでＳＴＫＭ１２製の芯金層の外周面上に、厚さ２．５ｍｍでシリコーンゴムからなる弾性層と、厚さ３０μｍでＰＦＡチューブ製の離型層とが順次積層されてなる。定着ベルトの基材層並びに加圧ローラの芯金層は導電材料からなるが、他の部品は絶縁材料からなっている。
さて、図６（ａ）に示されるように、本実施の形態に係る画像形成装置では、画像形成時に正に帯電した記録シートを通紙すると加圧ローラの方が定着ベルトよりも表面電位が高くなる。したがって、静電オフセットは発生しない。一方、図６（ｂ）に示されるように、従来技術に係る画像形成装置は、定着ベルトのほうが加圧ローラよりも表面電位が高くなるので、定着ベルトにトナーが静電吸着されて、静電オフセットが発生する。
【００３３】
図７は、用紙後端剥離放電ノイズが発生するメカニズムを説明する図であって、（ａ）は記録シートの後端が定着ベルト２０２や加圧ローラ２０９から剥離する様子を示し、（ｂ）は次の記録シートが通紙される様子を示す。図７（ａ）に示されるように、記録シート２１４が搬送されるにつれて、記録シート２１４の後端は定着ベルト２０２や加圧ローラ２０９から剥離する。
【００３４】
上述のように、記録シート２１４は正に帯電しており、定着ベルト２０２や加圧ローラ２０９の表面は負に帯電しているので、互いに静電引力にて引き合っている。このため、記録シート２１４に力を加えて、定着ベルト２０２や加圧ローラ２０９から剥離すると、当該用紙後端の剥離時に記録シート２１４と定着ベルト２０２や加圧ローラ２０９との間で放電が生じることがある。
【００３５】
図７（ａ）には記録シート２１４と定着ベルト２０２との間で放電が生じた場合が示されており、定着ベルト２０２の、図中、破線の丸印にて囲まれた領域７０１と記録シート２１４との間で放電が生じた場合には、丸印領域７０１の電荷が中和されて非帯電状態に至る。
この状態のまま、定着ベルト２０２が回転駆動され、その後の記録シート２１４に丸印領域７０１が対向すると（図７（ｂ））、丸印領域７０１とトナー２１３との間には静電反発力が作用しないので、トナー２１３が記録シート２１４上から丸印領域７０１へ吸着される。これによって、用紙後端剥離放電ノイズが発生する。
【００３６】
この問題に対しても、トナー２１３が負に帯電していることを考慮すれば、定着ベルト２０２をより大きく負に帯電させることによって、定着ベルト２０２とトナー２１３との静電反発力を高めれば、解消できると考えられる。
そこで、いずれの問題も解消することができる体積抵抗率を静電オフセットや用紙後端剥離放電ノイズの発生状況から特定する。図４において、静電オフセットの発生状況を示す記号「×」は、静電ノイズが明確に視認されることを示す。一方、「○」は、静電ノイズが視認されないことを示す。
【００３７】
また、用紙後端剥離放電ノイズの発生状況を示す記号「×」は、画像形成を繰り返すと用紙後端剥離放電ノイズが漸増して、ノイズ筋が複数本現れるに至ることを示す。また、「△」は、ノイズ筋が１本だけで、ハーフトーン画像においてよく見るとノイズと認識できる程度に留まることを示し、「○」は、用紙後端剥離放電ノイズが視認されないことを示す。
【００３８】
実用上の必要から言えば、「×」は、多くの画像においてノイズが視認でき、どのカテゴリーの複写機、プリンターにおいても許容できない画質となる水準である。「△」は、普通の文字画像等においてはノイズの視認が難しいものの、写真画像の青空等のハーフトーン部においてはノイズが視認されるため、高級機や写真画像を多く印刷する複写機、プリンターにおいては許容できない水準である。「○」は、どのカテゴリーにおいても問題のない水準である。
【００３９】
図４に示されるように、体積抵抗率が定着ベルト２０２の基材層で１０１０Ωｍ、弾性層で１０１３Ωｍであり、更に、定着ローラ２０１の弾性層で１０１３Ωｍ、加圧ローラ２０９の弾性層で１０７Ωｍであるときに、静電オフセットと用紙後端剥離放電ノイズとの双方が解消される。
この場合において、定着ベルト２０２と加圧ローラ２０９との間の電位差が１９００Ｖとなっているが、別途、実施した実験によれば、当該電位差が１５００Ｖ以上であれば、両問題を解消できることが分かった。
【００４０】
更に、体積抵抗率の測定誤差を考慮すれば、体積抵抗率を
（ａ）定着ベルト２０２の基材層で１０１０Ωｍ以上とし、
（ｂ）定着ベルト２０２の弾性層で１０１２Ωｍ以上とし、
（ｃ）定着ローラ２０１の弾性層で１０１２Ωｍ以上とし、
（ｄ）加圧ローラ２０９の弾性層で１０７Ωｍ以下とする
ことによって、定着ベルト２０２と加圧ローラ２０９との間の電位差を１５００Ｖ以上として、静電オフセットと用紙後端剥離放電ノイズを共に解消できることが分かった。
【００４１】
［５］  変形例
以上、本発明を実施の形態に基づいて説明してきたが、本発明が上述の実施の形態に限定されないのは勿論であり、以下のような変形例を実施することができる。
（１）上記実施の形態においては、特に言及しなかったが、定着ベルトの厚さと定着ローラの弾性層の厚さとの合計が小さい場合には、定着ローラの芯金が金属からなっているため、定着ベルトの帯電電位に影響を与えるおそれがある。このため、当該合計は４ｍｍ以上であるのが好ましい。
【００４２】
また、実用上の観点、特に、定着装置の小型化の要請に配慮すれば、８ｍｍ以下であるのが望ましい。
（２）上記実施の形態においては、特に言及しなかったが、定着ベルト２０２の基材層の体積抵抗率は、１０１７Ωｍを上限とする。これはポリイミドの体積抵抗率の最大値であり、これよりも高い体積抵抗率を取り得ないからである。
【００４３】
また、定着ベルト２０２の弾性層の体積抵抗率は、１０１６Ωｍを上限とする。これはシリコーンゴムの体積抵抗率の最大値である。同様に、定着ローラ２０１の弾性層の体積抵抗率も、１０１６Ωｍを上限とする。
加圧ローラ２０９の弾性率の体積抵抗率は、１０３Ωｍを加減とする。これはシリコーンゴムの体積抵抗率の最小であり、これよりも低い体積抵抗率を取り得ないからである。
【産業上の利用可能性】
【００４４】
本発明に係る定着装置および画像形成装置に関は、定着装置における画質劣化を防止する技術として有用である。
【符号の説明】
【００４５】
１…………………画像形成装置
１００……………定着装置
２０１……………定着ローラ
２０２……………定着ベルト
２０３、２１０…ヒータ
２０４……………加熱ローラ
２０５、２１１…サーモスタット
２０６、２０８…サーミスタ
２０７……………分離爪
２０９……………加圧ローラ
２１２……………突入ガイド
７０１……………丸印領域
【図１】
2010217833.tif 000003
【図２】
2010217833.tif 000004
【図３】
2010217833.tif 000005
【図４】
2010217833.tif 000006
【図５】
2010217833.tif 000007
【図６】
2010217833.tif 000008
【図７】
2010217833.tif 000009